(57)【要約】【課題】二次電池を充放電しないときにおける消費電力を抑えつつ、適切に二次電池の劣化量を推定する。【解決手段】二次電池の温度を含む二次電池に係る情報を取得する情報取得部１１６と、情報取得部１１６が取得した情報に基づいて二次電池の劣化量を推定する劣化量推定部１１７と、二次電池が充放電されていない場合に、情報取得部１１６が二次電池の温度を取得した後、自装置に供給される電力を減少させ、情報取得部１１６が次に二次電池に係る情報を取得するタイミングで自装置に供給される電力を増加させる電源制御回路１４０とを備える。【選択図】図１
2015104215.tif 000002
【特許請求の範囲】
【請求項１】
二次電池の温度を含む前記二次電池に係る情報を取得する情報取得部と、
前記情報取得部が取得した情報に基づいて前記二次電池の劣化量を推定する劣化量推定部と、
前記二次電池が充放電されていない場合に、前記情報取得部が前記二次電池の温度を取得した後、自装置に供給される電力を減少させ、前記情報取得部が次に前記二次電池に係る情報を取得するタイミングで自装置に供給される電力を増加させる電源制御部と、
を備える劣化量推定装置。
【請求項２】
前記二次電池が充放電されていないときに前記情報取得部が前記二次電池に係る情報を取得する頻度は、前記二次電池が充放電されているときに前記情報取得部が前記二次電池に係る情報を取得する頻度より低い
請求項１に記載の劣化量推定装置。
【請求項３】
前記二次電池が充放電されていない場合、前記劣化量推定部は、最後に推定された前記二次電池の劣化量と前記情報取得部が取得した情報とに基づいて、前記二次電池の劣化量を推定する
請求項１または請求項２に記載の劣化量推定装置。
【請求項４】
時間の計時を行う計時部を備え、
前記電源制御部は、前記計時部が計時した時間が前記二次電池に係る情報を取得するタイミングになったときに、自装置に供給される電力を増加させる
請求項１から請求項３の何れか１項に記載の劣化量推定装置。
【請求項５】
外部から前記二次電池に係る情報の取得命令を受信する命令受信部を備え、
前記電源制御部は、前記命令受信部が前記取得命令を受信したときに、自装置に供給される電力を増加させる
請求項１から請求項４の何れか１項に記載の劣化量推定装置。
【請求項６】
コンピュータと、
前記コンピュータに供給される電力を制御する電力制御回路と
を備え、
前記コンピュータは、
二次電池の温度を含む前記二次電池に係る情報を取得する情報取得部と、
前記二次電池が充放電されていない場合に、前記情報取得部が取得した情報に基づいて、前記二次電池の劣化量を推定する劣化量推定部と
を備え、
前記電力制御回路は、前記二次電池が充放電されていない場合に、前記情報取得部が前記二次電池の温度を取得した後、前記コンピュータに供給される電力を減少させ、前記情報取得部が次に前記二次電池に係る情報を取得するタイミングで前記コンピュータに供給される電力を増加させる
劣化量推定装置。
【請求項７】
劣化量推定装置が、二次電池の温度を含む前記二次電池に係る情報を取得し、
劣化量推定装置が、前記二次電池が充放電されていない場合に、前記二次電池の温度を取得した後、自装置に供給される電力を減少させ、次に前記二次電池に係る情報を取得するタイミングで自装置に供給される電力を増加させ、
劣化量推定装置が、前記二次電池が充放電されていない場合に、前記取得した情報に基づいて前記二次電池の劣化量を推定する
劣化量推定方法。
【請求項８】
コンピュータを、
二次電池の温度を含む前記二次電池に係る情報を取得する情報取得部、
前記二次電池が充放電されていない場合に、前記情報取得部が前記二次電池の温度を取得した後、前記コンピュータに供給される電力を減少させ、前記情報取得部が次に前記二次電池に係る情報を取得するタイミングで前記コンピュータに供給される電力を増加させる電源制御部、
前記二次電池が充放電されていない場合に、前記情報取得部が取得した情報に基づいて、前記二次電池の劣化量を推定する劣化量推定部
として機能させるためのプログラム。
【発明の詳細な説明】
【技術分野】
【０００１】
本発明は、二次電池の劣化量を推定する劣化量推定装置、劣化量推定方法、及びプログラムに関する。
【背景技術】
【０００２】
二次電池の容量や抵抗の劣化を正確に把握することは、二次電池を適切に運用するために必要とされている。特許文献１には、二次電池が充電中であるか否かによって演算処理を切り替えて劣化量を算出する技術が開示されている。
【先行技術文献】
【特許文献】
【０００３】
【特許文献１】特開２０１２−１２７９３８号公報
【発明の概要】
【発明が解決しようとする課題】
【０００４】
劣化量を推定するロジックは、二次電池の管理を行うＢＭＵ（Ｂａｔｔｅｒｙ  Ｍａｎａｇｅｍｅｎｔ  Ｕｎｉｔ）に設けられることが多い。ＢＭＵは、二次電池の電力によって駆動するため、二次電池が保存状態にある場合にも逐次劣化量を推定する場合、保存中にもかかわらず二次電池の充電率を低下させることとなる。
本発明の目的は、二次電池を充放電しないときにおける消費電力を抑えつつ、適切に二次電池の劣化量を推定する劣化量推定装置、劣化量推定方法、及びプログラムを提供することにある。
【課題を解決するための手段】
【０００５】
第１の態様は、二次電池の温度を含む前記二次電池に係る情報を取得する情報取得部と、前記情報取得部が取得した情報に基づいて前記二次電池の劣化量を推定する劣化量推定部と、前記二次電池が充放電されていない場合に、前記情報取得部が前記二次電池の温度を取得した後、自装置に供給される電力を減少させ、前記情報取得部が次に前記二次電池に係る情報を取得するタイミングで自装置に供給される電力を増加させる電源制御部と、を備える劣化量推定装置である。
【０００６】
また、第２の態様は、第１の態様において、前記二次電池が充放電されていないときに前記情報取得部が前記二次電池に係る情報を取得する頻度は、前記二次電池が充放電されているときに前記情報取得部が前記二次電池に係る情報を取得する頻度より低い劣化量推定装置である。
【０００７】
また、第３の態様は、第１または第２の態様において、前記二次電池が充放電されていない場合、前記劣化量推定部は、最後に推定された前記二次電池の劣化量と前記情報取得部が取得した情報とに基づいて、前記二次電池の劣化量を推定する。
【０００８】
また、第４の態様は、第１から第３の何れかの態様において、時間の計時を行う計時部を備え、前記電源制御部は、前記計時部が計時した時間が前記二次電池に係る情報を取得するタイミングになったときに、自装置に供給される電力を増加させる劣化量推定装置である。
【０００９】
また、第５の態様は、第１から第４の何れかの態様において、外部から前記二次電池に係る情報の取得命令を受信する命令受信部を備え、前記電源制御部は、前記命令受信部が前記取得命令を受信したときに、自装置に供給される電力を増加させる劣化量推定装置である。
【００１０】
また、第６の態様は、コンピュータと、前記コンピュータに供給される電力を制御する電力制御回路とを備え、前記コンピュータは、二次電池の温度を含む前記二次電池に係る情報を取得する情報取得部と、前記二次電池が充放電されていない場合に、前記情報取得部が取得した情報に基づいて、前記二次電池の劣化量を推定する劣化量推定部とを備え、前記電力制御回路は、前記二次電池が充放電されていない場合に、前記情報取得部が前記二次電池の温度を取得した後、前記コンピュータに供給される電力を減少させ、前記情報取得部が次に前記二次電池に係る情報を取得するタイミングで前記コンピュータに供給される電力を増加させる劣化量推定装置である。
【００１１】
また、第７の態様は、劣化量推定装置が、二次電池の温度を含む前記二次電池に係る情報を取得し、劣化量推定装置が、前記二次電池が充放電されていない場合に、前記二次電池の温度を取得した後、自装置に供給される電力を減少させ、次に前記二次電池に係る情報を取得するタイミングで自装置に供給される電力を増加させ、劣化量推定装置が、前記二次電池が充放電されていない場合に、前記取得した情報に基づいて前記二次電池の劣化量を推定する劣化量推定方法である。
【００１２】
また、第８の態様は、コンピュータを、二次電池の温度を含む前記二次電池に係る情報を取得する情報取得部、前記二次電池が充放電されていない場合に、前記情報取得部が前記二次電池の温度を取得した後、前記コンピュータに供給される電力を減少させ、前記情報取得部が次に前記二次電池に係る情報を取得するタイミングで前記コンピュータに供給される電力を増加させる電源制御部、前記二次電池が充放電されていない場合に、前記情報取得部が取得した情報に基づいて、前記二次電池の劣化量を推定する劣化量推定部として機能させるためのプログラムである。
【発明の効果】
【００１３】
上記態様のうち少なくとも１つの態様によれば、二次電池が充放電されていない場合に、所定のタイミングで二次電池に係る情報を取得するとき以外は、劣化量推定装置に供給される電力を減少させる。これにより、二次電池が充放電されていない状態である保存状態における劣化量推定装置の消費電力を低減することができる。
【図面の簡単な説明】
【００１４】
【図１】第１の実施形態に係る劣化量推定装置の構成を示す概略ブロック図である。
【図２】第１の実施形態に係る劣化量推定装置のコンピュータの動作を示すフローチャートである。
【図３】第２の実施形態に係る劣化量推定装置の構成を示す概略ブロック図である。
【図４】第２の実施形態に係る劣化量推定装置のコンピュータの動作を示すフローチャートである。
【発明を実施するための形態】
【００１５】
《第１の実施形態》
以下、図面を参照しながら実施形態について詳しく説明する。
図１は、第１の実施形態に係る劣化量推定装置１００の構成を示す概略ブロック図である。
劣化量推定装置１００は、対象となる二次電池の容量及び抵抗の劣化量を算出する。劣化量推定装置１００は、コンピュータ１１０、充放電判定回路１２０、タイマ回路１３０、電源制御回路１４０、残量表示部１５０を備える。劣化量推定装置１００は、二次電池から供給される電力で動作する。
【００１６】
コンピュータ１１０は、ＣＰＵ１１１、主記憶装置１１２、補助記憶装置１１３、インタフェース１１４を備える。
ＣＰＵ１１１は、補助記憶装置１１３が記憶するプログラムを読み出して主記憶装置１１２に展開し、当該プログラムに従って二次電池の劣化量の推定処理を行う。
【００１７】
ＣＰＵ１１１は、プログラムを実行することで、充放電判定部１１５、情報取得部１１６、劣化量推定部１１７、タイマ設定部１１８を備える。
充放電判定部１１５は、充放電判定回路１２０が出力する信号を取得し、二次電池が充放電されているか否かを判定する。
情報取得部１１６は、二次電池に設けられた図示しないセンサから温度、電圧、電流を取得する。
劣化量推定部１１７は、情報取得部１１６が取得した情報に基づいて二次電池の劣化量を推定する。
タイマ設定部１１８は、次に情報取得部１１６が温度、電圧、電流を取得するタイミングになったときに起動信号を出力するようタイマ回路１３０を設定する。
【００１８】
充放電判定回路１２０は、二次電池が充放電されているか否かを判定する。例えば、充放電判定回路１２０は、二次電池から入出する電流値が所定の閾値以下である状態が所定時間継続したときに、充放電されていないことを示す信号をコンピュータ１１０及び電源制御回路１４０に出力する。
タイマ回路１３０は、コンピュータ１１０によって設定されたタイミングに、起動信号を電源制御回路１４０に出力する。
【００１９】
電源制御回路１４０は、コンピュータ１１０に供給される電力を制御する。具体的には、電源制御回路１４０は、充放電判定回路１２０が出力する信号が二次電池が充放電されていることを示す間、二次電池からコンピュータ１１０へ電力を供給させる。電源制御回路１４０は、充放電判定回路１２０が出力する信号が二次電池が充放電されていないことを示す場合、タイマ回路１３０から起動信号を受信するまで、二次電池からコンピュータ１１０へ電力を供給させない。また、電源制御回路１４０は、充放電判定回路１２０が出力する信号が二次電池が充放電されていないことを示す場合、タイマ回路１３０から起動信号を受信してからコンピュータ１１０がタイマ回路１３０を設定するまで、二次電池からコンピュータ１１０へ電力を供給させる。本実施形態に係る電源制御回路１４０は、電源制御部の一例である。
残量表示部１５０は、二次電池の充電された電気量の残量を表示する。
【００２０】
次に、本実施形態に係る劣化量推定装置１００による劣化量推定方法について説明する。
図２は、第１の実施形態に係る劣化量推定装置１００のコンピュータ１１０の動作を示すフローチャートである。
電源制御回路１４０の制御により、二次電池からコンピュータ１１０への電力供給が開始されると、コンピュータ１１０のＣＰＵ１１１は、補助記憶装置１１３からプログラムを読み出して主記憶装置１１２に展開することで、当該プログラムを実行する。まず、ＣＰＵ１１１がプログラムを実行すると、充放電判定部１１５は、充放電判定回路１２０が出力する信号を読み取り、二次電池が充放電されているか否かを判定する（ステップＳ１）。
【００２１】
充放電判定部１１５が二次電池が充放電されていると判定した場合（ステップＳ１：ＹＥＳ）、情報取得部１１６は、インタフェース１１４を介して二次電池に設けられたセンサから、二次電池の電流、電圧、温度を取得する（ステップＳ２）。なお、二次電池が複数のセルから構成される電池モジュールである場合、電圧として複数のセルの平均電圧、最大電圧または最小電圧を特定する。次に、劣化量推定部１１７は、情報取得部１１６が取得した情報に基づいて、二次電池の劣化量を推定する（ステップＳ３）。劣化量推定部１１７は、例えば、情報取得部１１６が取得した二次電池の電流値と電圧値から算出される抵抗値と劣化のない二次電池の内部抵抗値とを比較することで、劣化量を推定することができる。劣化量推定部１１７は、二次電池の劣化量を推定すると、当該劣化量を補助記憶装置１１３に記録する（ステップＳ４）。補助記憶装置１１３に記録された劣化量は、残量表示部１５０が表示する残量の計算や、充放電の運用条件の更新に用いられる。そして、ステップＳ１に戻り、劣化量の推定を繰り返し実行する。
【００２２】
他方、充放電判定部１１５がステップＳ１において二次電池が充放電されていないと判定した場合（ステップＳ１：ＮＯ）、情報取得部１１６は、インタフェース１１４を介して二次電池に設けられたセンサから、二次電池の電圧、温度を取得する（ステップＳ５）。当該電圧は、二次電池の保存電圧に相当する。次に、充放電判定部１１５は、劣化推定手法に基づいて単位時間当たりの劣化量を推定する（ステップＳ６）。
【００２３】
劣化推定手法に基づく単位時間当たりの劣化量の推定としては、例えば、アイリング則に従って、電池温度と保存電圧に基づいて単位時間当たりの劣化量を推定する方法が挙げられる。具体的には、以下に示す式（１）に従って単位時間当たりの劣化量を推定する方法である。
【００２４】
ｌｏｇＬ＝ｌｏｇＢ−Ｅａ／ＲＴ＋αｌｏｇＳ  ・・・（１）
Ｌは、性能劣化率を示す。Ｂは二次電池の反応定数である。Ｅａは、二次電池の活性化エネルギーを示す。Ｒは、気体定数を示す。Ｔは、二次電池の絶対温度を示す。Ｓは、二次電池の保存電圧を示す。
【００２５】
劣化量推定部１１７は、単位時間当たりの二次電池の劣化量を推定すると、当該劣化量に前回劣化量を推定した時刻からの経過時間を乗じて得られる劣化量を、補助記憶装置１１３が記憶する劣化量に加算することで、現在の二次電池の劣化量を推定する（ステップＳ７）。次に、劣化量推定部１１７は、当該劣化量を補助記憶装置１１３に記録する（ステップＳ８）。そして、タイマ設定部１１８は、次に二次電池に係る情報の取得及び二次電池の劣化量の推定を行うタイミングで起動信号を出力するよう、タイマ回路１３０を設定する（ステップＳ９）。タイマ設定部１１８がタイマ回路１３０を設定すると、電源制御回路１４０は、コンピュータ１１０に供給される電力を０にするため、コンピュータ１１０は動作を終了する。
【００２６】
なお、二次電池の性能劣化率は、雰囲気温度によって変動するため、タイマ設定部１１８は、二次電池の雰囲気温度が異なるようなタイミングに起動信号を出力するように、タイマ回路１３０を設定することが好ましい。例えば、タイマ設定部１１８は、二次電池が充放電されない時間が日単位である場合、日中のタイミングと日没後のタイミングで起動信号を出力するようにタイマ回路１３０を設定することができる。また例えば、タイマ設定部１１８は、二次電池が充放電されない時間が週単位である場合、月曜日と水曜日に起動信号を出力するようにタイマ回路１３０を設定することができる。また例えば、タイマ設定部１１８は、二次電池が充放電されない時間が年単位である場合、季節ごとに起動信号を出力するようにタイマ回路１３０を設定しても良い。
【００２７】
タイマ回路１３０が起動信号を出力する間隔は、少なくとも二次電池が充放電されているときに継続して劣化量を推定する間隔より長くする。これにより、二次電池が充放電されていない間、コンピュータ１１０へ供給される電力をカットすることができるため、二次電池を充放電しないときにおける消費電力を抑えることができる。
【００２８】
このように、本実施形態によれば、電源制御回路１４０は、二次電池が充放電されていない場合に、情報取得部１１６が二次電池の温度を取得した後、自装置に供給される電力を減少させ、情報取得部１１６が次に二次電池に係る情報を取得するタイミングで自装置に供給される電力を増加させる。これにより、劣化量推定装置１００は、二次電池を充放電しないときにおける消費電力を抑えつつ、適切に二次電池の劣化量を推定することができる。
【００２９】
なお、本実施形態では、二次電池が充放電されていない間、電源制御回路１４０が、コンピュータ１１０に電力を供給させないようにする場合について説明したが、これに限られない。例えば、コンピュータ１１０に供給する電力を通常の電力より減少させ、コンピュータ１１０をスリープモードにしても良い。
【００３０】
《第２の実施形態》
図３は、第２の実施形態に係る劣化量推定装置２００の構成を示す概略ブロック図である。
第１の実施形態では、電源制御回路１４０が、タイマ回路１３０が出力する起動信号に基づいてコンピュータ２１０の電力管理を行う場合について説明したが、第２の実施形態に係る劣化量推定装置２００は、外部装置から起動信号を受信して、コンピュータ２１０の電力管理を行う。
【００３１】
劣化量推定装置２００は、コンピュータ２１０、残量表示部２２０を備える。
残量表示部２２０は、二次電池の充電された電気量の残量を表示する。
コンピュータ２１０は、ＣＰＵ２１１、主記憶装置２１２、補助記憶装置２１３、インタフェース２１４を備える。
ＣＰＵ２１１は、補助記憶装置２１３が記憶するプログラムを読み出して主記憶装置２１２に展開し、当該プログラムに従って二次電池の劣化量の推定処理を行う。ＣＰＵ２１１は、プログラムを実行することで、情報取得部２１５、充放電判定部２１６、起動信号受信部２１７、電源制御部２１８、劣化量推定部２１９を備える。
【００３２】
情報取得部２１５は、二次電池に設けられた図示しないセンサから温度、電圧、電流を取得する。
充放電判定部２１６は、情報取得部２１５が取得した情報に基づいて二次電池が充放電されているか否かを判定する。
起動信号受信部２１７は、外部装置から起動信号を受信する。外部装置は、第１の実施形態のタイマ設定部１１８と同様に、日中と日没後、月曜日と水曜日、季節ごとなど、定期的に起動信号を送信しても良い。また、外部装置は、天気予報により得られる気温や天候に基づいて、起動信号の出力タイミングを決定しても良い。
【００３３】
電源制御部２１８は、コンピュータ２１０に供給される電力を制御する。具体的には、電源制御部２１８は、充放電判定部２１６が二次電池が充放電されていると判定した場合、ＣＰＵ２１１を通常のクロックで動作させるための電力を、二次電池からコンピュータ２１０へ供給させる。電源制御回路１４０は、充放電判定部２１６が二次電池が充放電されていないと判定した場合、起動信号受信部２１７が起動信号を受信するまで、起動信号受信部２１７が動作するのに十分なクロック数でＣＰＵ２１１を動作させるための電力を、二次電池からコンピュータ２１０へ供給させる。また、電源制御回路１４０は、充放電判定部２１６が二次電池が充放電されていないと判定した場合、起動信号受信部２１７が起動信号を受信してから劣化量推定部２１９が劣化量を推定するまで、ＣＰＵ２１１を通常のクロックで動作させるための電力を、二次電池からコンピュータ２１０へ供給させる。
劣化量推定部２１９は、情報取得部２１５が取得した情報に基づいて二次電池の劣化量を推定する。
【００３４】
次に、本実施形態に係る劣化量推定装置２００による劣化量推定方法について説明する。
図４は、第２の実施形態に係る劣化量推定装置２００のコンピュータ２１０の動作を示すフローチャートである。
劣化量推定装置２００のコンピュータ２１０に、ＣＰＵ２１１を通常のクロックで動作させるための電力が供給されると、コンピュータ２１０のＣＰＵ２１１は、補助記憶装置２１３からプログラムを読み出して主記憶装置２１２に展開することで、当該プログラムを実行する。まず、ＣＰＵ２１１がプログラムを実行すると、情報取得部２１５は、二次電池に係る情報を取得する（ステップＳ１０１）。次に、充放電判定部２１６は、情報取得部２１５が取得した情報に基づいて、二次電池が充放電されているか否かを判定する（ステップＳ１０２）。例えば、充放電判定部２１６は、二次電池から入出する電流値が所定の閾値以下である状態が所定時間継続した場合に、二次電池が充放電されていないと判定する。
【００３５】
充放電判定部２１６が二次電池が充放電されていると判定した場合（ステップＳ１０２：ＹＥＳ）、劣化量推定部２１９は、情報取得部２１５が取得した情報に基づいて、二次電池の劣化量を推定する（ステップＳ１０３）。劣化量推定部２１９は、例えば、情報取得部２１５が取得した二次電池の電流値と電圧値から算出される抵抗値と劣化のない二次電池の内部抵抗値とを比較することで、劣化量を推定することができる。劣化量推定部２１９は、二次電池の劣化量を推定すると、当該劣化量を補助記憶装置２１３に記録する（ステップＳ１０４）。そして、ステップＳ１０１に戻り、劣化量の推定を繰り返し実行する。
【００３６】
他方、充放電判定部２１６がステップＳ１０２において二次電池が充放電されていないと判定した場合（ステップＳ１０２：ＮＯ）、充放電判定部２１６は、劣化推定手法に基づいて単位時間当たりの劣化量を推定する（ステップＳ１０５）。次に、劣化量推定部２１９は、単位時間当たりの劣化量に前回劣化量を推定した時刻からの経過時間を乗じて得られる劣化量を、補助記憶装置２１３が記憶する劣化量に加算することで、現在の二次電池の劣化量を推定する（ステップＳ１０６）。次に、劣化量推定部２１９は、当該劣化量を補助記憶装置２１３に記録する（ステップＳ１０７）。
【００３７】
そして、電源制御部２１８は、起動信号受信部２１７が動作するのに十分なクロック数でＣＰＵ２１１を動作させるための電力を、二次電池からコンピュータ２１０へ供給させる（ステップＳ１０８）。つまり、電源制御部２１８は、自装置に供給される電力を減少させる。これにより、コンピュータ２１０は、ＣＰＵ２１１の動作クロック数を低減させる。次に、起動信号受信部２１７は、外部装置から起動信号を受信したか否かを判定する（ステップＳ１０９）。起動信号受信部２１７は、起動信号を受信していないと判定した場合（ステップＳ１０９：ＮＯ）、起動信号を受信するまでステップＳ１０９の受信待機を継続待機する。
【００３８】
他方、起動信号受信部２１７は、起動信号を受信したと判定した場合（ステップＳ１０９：ＹＥＳ）、電源制御部２１８は、通常のクロック数でＣＰＵ２１１を動作させるための電力を、二次電池からコンピュータ２１０へ供給させる（ステップＳ１１０）。つまり、電源制御部２１８は、自装置に供給される電力を増加させる。そして、ステップＳ１に戻り、劣化量の推定を行う。
【００３９】
このように、本実施形態によれば、電源制御回路１４０は、二次電池が充放電されていない場合に、情報取得部２１５が二次電池の温度を取得した後、自装置に供給される電力を減少させ、外部装置から起動信号を受信したタイミングで自装置に供給される電力を増加させる。これにより、劣化量推定装置２００は、二次電池を充放電しないときにおける消費電力を抑えつつ、適切に二次電池の劣化量を推定することができる。
【００４０】
以上、図面を参照して一実施形態について詳しく説明してきたが、具体的な構成は上述のものに限られることはなく、様々な設計変更等をすることが可能である。
例えば、上述した実施形態では、二次電池が充放電されていない場合にも、所定のタイミングで劣化量の推定を行う場合について説明したが、これに限られない。例えば、他の実施形態では、所定のタイミングで情報取得部２１５が二次電池に係る情報を取得した後、劣化量推定部２１９が劣化量を推定することなく劣化量推定装置２００に供給される電力を低減しても良い。この場合、情報取得部２１５は、取得した二次電池に係る情報を補助記憶装置２１３に記録しておき、劣化量推定部２１９は、二次電池の充放電が開始されたときに、補助御記憶装置に記録された情報に基づいて、二次電池が充放電されていない間の劣化量を推定する。
【００４１】
また例えば、上述した実施形態では、アイリング則を示す式（１）に基づいて劣化量を推定する場合について説明したが、これに限られない。二次電池の保存時の劣化量は、雰囲気温度の影響が大きいため、温度を用いて劣化量を推定する他の方法を用いても良い。
【００４２】
なお、少なくとも１つの実施形態において、補助記憶装置２１３は、一時的でない有形の媒体の一例である。一時的でない有形の媒体の他の例としては、インタフェース２１４を介して接続される磁気ディスク、光磁気ディスク、ＣＤ−ＲＯＭ、ＤＶＤ−ＲＯＭ、半導体メモリ等が挙げられる。また、このプログラムが通信回線によってコンピュータ２１０に配信される場合、配信を受けたコンピュータ２１０が当該プログラムを主記憶装置２１２に展開し、上記処理を実行しても良い。
【００４３】
また、当該プログラムは、前述した機能の一部を実現するためのものであっても良い。さらに、当該プログラムは、前述した機能を補助記憶装置２１３に既に記憶されている他のプログラムとの組み合わせで実現するもの、いわゆる差分ファイル（差分プログラム）であっても良い。
【符号の説明】
【００４４】
１００…劣化量推定装置  １１０…コンピュータ  １１１…ＣＰＵ  １１２…主記憶装置  １１３…補助記憶装置  １１４…インタフェース  １１５…充放電判定部  １１６…情報取得部  １１７…劣化量推定部  １１８…タイマ設定部  １２０…充放電判定回路  １３０…タイマ回路  １４０…電源制御回路  １５０…残量表示部
【図１】
2015104215.tif 000003
【図２】
2015104215.tif 000004
【図３】
2015104215.tif 000005
【図４】
2015104215.tif 000006